(57)【要約】【課題】  足の動きを妨げず、鼠蹊部を圧迫しない着用感に優れたショーツを提供する。【解決手段】  フロントパーツ（２）と、脇パーツ（３）と、クロッチ部（４）からなり、脇パーツ（３）は重なり合うとともに形状が異なる表側脇パーツ（３Ａ１，３Ｂ１）と肌側脇パーツ（３Ａ２，３Ｂ２）からなり、脇パーツ（３）はフロントパーツの左右両側の端部（２Ｒ，２Ｌ）にそれぞれ縫合されており、クロッチ部の前マチ部（４Ａ）にフロントパーツの下端部（２Ｂ）と脇パーツの下辺（３ＬＳ）が縫合されており、肌側脇パーツの足口部（ｆ２）のクロッチ側端部は表側脇パーツの足口部（ｆ１）のクロッチ側端部よりも中心側に接合位置をずらして縫合されていることを特徴とする鼠蹊部を圧迫しないショーツ。【選択図】  図１
2020016005.tif 000002
【特許請求の範囲】
【請求項１】
前中央のフロント部分を覆うフロントパーツと、
フロントパーツの左右両側に設けられた脇パーツと、
フロントパーツに連なるクロッチ部からなり、
脇パーツは重なり合うとともに形状が異なる表側脇パーツと肌側脇パーツからなり、
脇パーツはフロントパーツの左右両側の端部にそれぞれ縫合されており、
クロッチ部の前マチ部にフロントパーツの下端部と脇パーツの下辺が縫合されており、
肌側脇パーツの足口部のクロッチ側端部は表側脇パーツの足口部のクロッチ側端部よりも中心側に接合位置をずらして縫合されていることを特徴とする、鼠蹊部を圧迫しないショーツ。
【請求項２】
肌側脇パーツの足口部は表側脇パーツの足口部よりも切り開いて長くなるように配置することを特徴とする請求項１に記載の鼠蹊部を圧迫しないショーツ。
【請求項３】
表側脇パーツの下辺は肌側脇パーツの下辺より長くなるように配置することを特徴とする請求項１乃至請求項２のいずれか一項に記載の鼠蹊部を圧迫しないショーツ。
【請求項４】
フロントパーツは横方向に伸びにくく、上下方向に伸縮する伸縮性素材を用いることを特徴とする請求項１乃至請求項３のいずれか一項に記載の鼠蹊部を圧迫しないショーツ。
【発明の詳細な説明】
【技術分野】
【０００１】
本発明は、鼠蹊部を圧迫しないショーツに関する。更に詳しくは、足の動きを妨げず、鼠蹊部を圧迫しない着用感に優れたショーツに関するものである。
【０００２】
なお、本請求項１−４及び本明細書において、「表側」とはショーツの表側を意味し、「肌側」とは着用者の肌側を意味する。
また、「上下方向」とはショーツを着用する際に上げ下げする方向を示し、「横方向」とはショーツの幅方向を示す。
【背景技術】
【０００３】
従来のショーツにおいて、血管やリンパ管が通っている鼠蹊部や太腿をショーツの裾の開口部のゴム紐などが締め付けてしまい、血液やリンパの流れを阻害してしまうという問題があった。
血管やリンパの流れが阻害されると、温かい血液が全身に廻らないことによる体温低下や、リンパによる老廃物の排せつがうまくいかず、むくみや冷え症が起こりやすくなる等の体内の循環機能が衰えてしまう。そして、肥満、便秘、生理不順・生理痛・不妊症など婦人科系の体の不調も、ショーツによる鼠蹊部の締め付けが一因と考えられている。
【０００４】
上記課題を解決するショーツとして、特許文献１に記載されたものが知られている。
この文献は、鼠蹊部近傍の圧迫感を緩和することが可能な衣類を提供することを課題としていた。
そして、着用時において少なくとも臀部及び腹部を被覆し、鼠蹊部近傍に裾回りを有する衣類であって、ヘソから股に到る腹部中心線に沿うように設けられるフロント布と、該腹部中心線から側腹部に亘るように設けられる前身頃とを備えている。また、前記フロント布と前記前身頃とは互いに交差するように重ね合わされ、前記裾回りの少なくとも一部を構成し互いに交差する該フロント布と該前身頃の縁部は互いに縫合されることなく、該フロント布と該前身頃とが着用時において相対的にスライド可能に縫製されていることを要件とすることで解決している。
【先行技術文献】
【特許文献】
【０００５】
【特許文献１】実用新案登録第３０８１４１９号公報
【発明の概要】
【発明が解決しようとする課題】
【０００６】
特許文献１の衣類において、鼠蹊部近傍の圧迫感は緩和される。しかし、足口を形成するフロント布の一部に前身頃を重ね合わせて配置されているので、足口の開口部が狭くなってしまい、脚上げ動作や前屈、ヨガ、長時間の座位など日常から運動時の足の動きを妨げるという欠点があった。
【０００７】
叙述のように、従来のショーツ（とりわけ、特許文献１のもの）には、鼠蹊部の圧迫感を緩和しようとすると、足の動きを妨げてしまうという欠点があった。
【課題を解決するための手段】
【０００８】
本発明は、足の動きを妨げず、鼠蹊部を圧迫しない着用感に優れたショーツとするものである。
【０００９】
請求項１に係る発明は、前中央のフロント部分を覆うフロントパーツと、フロントパーツの左右両側に設けられた脇パーツと、フロントパーツに連なるクロッチ部からなり、脇パーツは重なり合うとともに形状が異なる表側脇パーツと肌側脇パーツからなり、脇パーツはフロントパーツの左右両側の端部にそれぞれ縫合されており、クロッチ部の前マチ部にフロントパーツの下端部と脇パーツの下辺が縫合されており、肌側脇パーツの足口部のクロッチ側端部は表側脇パーツの足口部のクロッチ側端部よりも中心側に接合位置をずらして縫合されていることを特徴とする、鼠蹊部を圧迫しないショーツに関する。
【００１０】
請求項２に係る発明は、肌側脇パーツの足口部は表側脇パーツの足口部よりも切り開いて長くなるように配置することを特徴とする鼠蹊部を圧迫しないショーツに関する。
【００１１】
請求項３に係る発明は、表側脇パーツの下辺は肌側脇パーツの下辺より長くなるように配置することを特徴とする鼠蹊部を圧迫しないショーツに関する。
【００１２】
請求項４に係る発明は、フロントパーツは横方向に伸びにくく、上下方向に伸縮する伸縮性素材を用いることを特徴とする鼠蹊部を圧迫しないショーツに関する。
【発明の効果】
【００１３】
請求項１に係る発明によれば、前中央のフロント部分を覆うフロントパーツと、フロントパーツの左右両側に設けられた脇パーツと、フロントパーツに連なるクロッチ部からなり、脇パーツは重なり合うとともに形状が異なる表側脇パーツと肌側脇パーツからなり、脇パーツはフロントパーツの左右両側の端部にそれぞれ縫合されており、クロッチ部の前マチ部にフロントパーツの下端部と脇パーツの下辺が縫合されており、肌側脇パーツの足口部のクロッチ側端部は表側脇パーツの足口部のクロッチ側端部よりも中心側に接合位置をずらして縫合されていることを構成要件としていることから、以下のような効果を奏する。
【００１４】
従来、足口周縁部付近にまでショーツ（特にガードル等）の裾が配置されていたことから、着用者の鼠蹊部付近が強く締め付けられ、足の動きが妨げられたり、鼠蹊部付近に痛みや炎症が生じたりするおそれがあった。
更に、座位やしゃがんだ状態では、ヒップ周りの人体表面が大きくなるため、布地は横方向に引っ張られ、さらに腹部圧迫パワーが大きくなり、これが鼠蹊部や足口部を圧迫するとともに、着用感も悪化させていた。
【００１５】
本発明において、肌側脇パーツと表側脇パーツの足口部の接合位置をずらして縫合していることで、足口部にかかる力を分散させることができるため、鼠蹊部を楽にすることで着用感に優れる。それによって、脚上げ運動や前屈、ヨガ、長時間の座位など、日常から運動時の鼠蹊部の圧迫を軽減するという優れた効果を奏する。
また、肌側脇パーツによって足口部の開口部を広く形成されていることで、ヒップを安定した状態で包み込みながら、足口を楽に動かすことができるため、足の動きを妨げないという優れた効果も奏する。
【００１６】
ヒップをしっかりホールドし腹部や脇をサポートする機能をもつショーツやガードルでは足口のパワーが強くなりやすく、一方サポート機能のないショーツでは足口の締め付けはないが、体の運動に追随せずにずれが生じやすい。しかし、本発明においてサポート機能を保持しつつ鼠蹊部や足口を圧迫しないという効果も発揮することができる。
【００１７】
請求項２に係る発明によれば、肌側脇パーツの足口部は表側脇パーツの足口部よりも切り開いて長くなるように配置することを構成要件としていることから、肌側脇パーツを切り開いた分が体に対するゆとりとなり、鼠蹊部へのショーツの食い込みが小さくなり、着用者にやさしくフィットするため、動作時の違和感が解消されるという優れた効果を奏する。
また、表側脇パーツは肌側脇パーツの上部に重なっているため、２枚の脇パーツと着用者との密着度を高めることにより、安定感だけでなく全体のフィット感が良好になるという優れた効果も奏する。
【００１８】
肌側脇パーツの足口部が切り開いて長くなっているため、表側脇パーツと重ねてクロッチ部の前マチ部に縫合すると、肌側脇パーツの足口部が立ち上がった状態となるため、鼠蹊部に当たりにくくなる。従って、鼠蹊部を締め付けすぎないようになるという優れた効果を奏する。
【００１９】
請求項３に係る発明によれば、表側脇パーツの下辺は肌側脇パーツの下辺より長くなるように配置すること構成要件としていることから、肌側脇パーツが着用者の鼠蹊部と干渉しないため、鼠蹊部を楽にすることで着用感に優れるという効果を奏する。それによって、脚上げ運動や前屈、ヨガ、長時間の座位など、日常から運動時の鼠蹊部の圧迫を軽減するという優れた効果を奏する。
【００２０】
請求項４に係る発明によれば、フロントパーツは横方向に伸びにくく、上下方向に伸縮する伸縮性素材を用いることを構成要件としていることから以下の効果を奏する。
【００２１】
従来から、特にお腹周りを中心として、自分の体型を美しく見せたいというニーズがあるため、日常的に使用されるショーツにも腹部サポート機能が求められてきた。しかしながら、高伸縮性の素材を設けることにより、着用時の窮屈感は解消され、着脱も容易となるものの、着崩れは大きくなり、腹部の体型補整の効果は十分に得ることができない。すなわち、着用感と腹部の引き締め度合を両立させることが困難であった。
【００２２】
本発明は、腹部に相当する箇所に横方向に伸びにくいフロントパーツを設けることで、腹部の引き締め機能を発揮して体のラインを補整することができるという優れた効果を奏する。また、フロントパーツの左右の両側部に脇パーツが設けられ、脇パーツが横方向及び上下方向に伸縮するため、ショーツの着用感を良好に保つことができる。
つまり、着用感と腹部の引き締めを両立させるという優れた効果を奏する。
【図面の簡単な説明】
【００２３】
【図１】本発明の一実施形態に係る鼠蹊部を圧迫しないショーツの正面図である。
【図２】図１の左側脇パーツの説明図である。（ａ）は表側脇パーツと肌側脇パーツのそれぞれを示す図であり、（ｂ）は２枚の脇パーツの縫合に関する説明図である。
【図３】図２の右側脇パーツの説明図である。（ａ）は表側脇パーツと肌側脇パーツのそれぞれを示す図であり、（ｂ）は２枚の脇パーツの縫合に関する説明図である。
【図４】図１の要部を示す部分拡大図である。
【発明を実施するための形態】
【００２４】
図１に示すように、本発明に係る鼠蹊部を圧迫しないショーツ（１）（以下、単に「ショーツ（１）」と記載する）は、フロントパーツ（２）、脇パーツ（３）、クロッチ部（４）、及び後身頃（５）から構成されている。
更に、脇パーツ（３）は、右側脇パーツ（３Ａ）と左側脇パーツ（３Ｂ）からなり、右側脇パーツ（３Ａ）と左側脇パーツ（３Ｂ）は重なりあうとともに形状が異なる表側脇パーツ（３Ａ１，３Ｂ１）と肌側脇パーツ（３Ａ２，３Ｂ２）から構成されている。
ただし、本発明における後身頃（５）に関しては、用いられる素材や縫合箇所は特に限定しない。
【００２５】
以下、本発明に係るショーツについて、図面を参照しつつ、本発明の実施形態について詳細に説明する。
図１に示すように、フロントパーツ（２）は前中央のフロント部分（腹部に相当する箇所）を覆うように配置されている。
フロントパーツ（２）の右側端部（２Ｒ）は、右側脇パーツ（３Ａ）の左側端部（３ＡＬ）と縫合され、フロントパーツ（２）の左側端部（２Ｌ）は、左側脇パーツ（３Ｂ）の右側端部（３ＢＲ）とそれぞれ縫合されている。
更に、フロントパーツ（２）の下端部（２Ｂ）と脇パーツ（３Ａ，３Ｂ）の下辺（３ＬＳ）がクロッチ部（４）の前マチ部（４Ａ）に縫合されている。
【００２６】
フロントパーツ（２）に用いられる素材は特に限定されないが、横方向（Ｘ）に伸びにくく、上下方向（Ｙ）に伸縮する素材を使用することが好ましい。
つまり、腹部の引き締め機能を発揮して体のラインを補整する効果を奏するものであればよい。
【００２７】
図１及び図２に示すように、脇パーツ（３）は右側脇パーツ（３Ａ）と左側脇パーツ（３Ｂ）から構成されている。また、左右それぞれの脇パーツ（３Ａ，３Ｂ）は重なり合うとともに形状が異なる表側脇パーツ（３Ａ１，３Ｂ１）と肌側脇パーツ（３Ａ２，３Ｂ２）から構成されている。
図２は、左側脇パーツ（３Ｂ）を例に挙げているが、右側脇パーツ（３Ａ）の場合もフロントパーツ（２）の両側に形状が左右対称に配置されており、またその構造も左右対称である。図３に示すように、左側脇パーツ（３Ｂ）に付した符号を反転させたものと同様であるため、説明は省略する。
【００２８】
図１に示すように、右側脇パーツ（３Ａ）の左側端部（３ＡＬ）は、フロントパーツ（２）の右側端部（２Ｒ）と縫合され、左側脇パーツ（３Ｂ）の右側端部（３ＢＲ）は、フロントパーツ（２）の左側端部（２Ｌ）とそれぞれ縫合されている。
更に、脇パーツ（３Ａ，３Ｂ）の下辺（３ＬＳ）とフロントパーツ（２）の下端部（２Ｂ）がクロッチ部（４）の前マチ部（４Ａ）に縫合されている。
【００２９】
脇パーツ（３）に用いられる素材は特に限定されないが、足の動きを妨げないように横方向（Ｘ）及び上下方向（Ｙ）に自在に伸縮する素材を用いるのが好ましい。脇パーツ（３）が横方向（Ｘ）及び上下方向（Ｙ）の伸縮性に優れていると、足の動きを妨げないだけではなく、着用感に不自然感がなく、容易に体に馴染むものとなる。
また、脇パーツ（３）の足口部（ｆ１，ｆ２）は、ゴム紐等を設けてショーツのサポート力を向上させてもよい。本発明において、鼠蹊部を圧迫しない形状の脇パーツ（３）を設けているため、ゴム紐等を設けても本発明の効果を十分発揮することができる。
【００３０】
図１に示すように、クロッチ部（４）の前マチ部（４Ａ）は、フロントパーツ（２）の下端部（２Ｂ）と脇パーツ（３Ａ，３Ｂ）の下辺（３ＬＳ）がそれぞれ縫合され、クロッチ部（４）の後マチ部（４Ｂ）は後身頃（５）に縫合されている。
クロッチ部（４）に用いられる素材は特に限定されないが、肌当りや通気性の良い素材を使用することが好ましい。
【００３１】
図２及び図４に示すように、本発明に係るショーツ（１）の脇パーツ（３）の構成を具体的に説明する。図１において参照符号（Ｚ）は要部構造を示しており、図４は図１の参照符号（Ｚ）の拡大説明図である。ここでは、左側脇パーツ（３Ｂ）を例に挙げて説明する。
図２（ａ）に示すように、表側脇パーツ（３Ｂ１）の足口部（ｆ１）と肌側脇パーツ（３Ｂ２）の足口部（ｆ２）の形状は異なる。その形状は肌側脇パーツ（３Ｂ２）の足口部（ｆ２）を切り開いて長くなるように形成されている。
【００３２】
図２（ｂ）に示すように、表側脇パーツ（３Ｂ１）と肌側脇パーツ（３Ｂ２）を重ねると、表側脇パーツ（３Ｂ１）の足口部（ｆ１）のクロッチ側右端部（ｆ１ｅ）と肌側脇パーツ（３Ｂ２）の足口部（ｆ２）のクロッチ側右端部（ｆ３ｅ）を合わせてそれぞれの下辺（３ＬＳ）を縫合する。
すると、肌側脇パーツ（３Ｂ２）の足口部（ｆ２）のクロッチ側左端部（ｆ４ｅ）は表側脇パーツ（３Ｂ１）の足口部（ｆ１）のクロッチ側左端部（ｆ２ｅ）より中心側にずれている。そのとき、肌側脇パーツ（３Ｂ２）の足口部（ｆ２）の距離が長い分がゆとりとなり、鼠蹊部へのショーツの食い込みが小さくなり、着用者にやさしくフィットするため、動作時の違和感が解消される
【００３３】
叙述のように、表側脇パーツ（３Ｂ１）と肌側脇パーツ（３Ｂ２）を縫合することで、図４に示すような接合位置のズレ（ｅ）が生じる。その接合位置のズレ（ｅ）によって、肌側脇パーツ（３Ｂ２）の足口部（ｆ２）は浮き上がり、立ち上がった状態となるため、鼠蹊部に当たりにくくなる。
【産業上の利用可能性】
【００３４】
本発明によれば、足の動きを妨げず、鼠蹊部を圧迫しない着用感に優れたショーツとすることができる。
【符号の説明】
【００３５】
１      鼠蹊部を圧迫しないショーツ
２      フロントパーツ
２Ｂ    フロントパーツの下端部
２Ｒ    フロントパーツの右側端部
２Ｌ    フロントパーツの左側端部
３      脇パーツ
３ＬＳ  脇パーツの下辺
３Ａ    右側脇パーツ
３ＡＬ  右側脇パーツの左側端部
３Ｂ    左側脇パーツ
３ＢＲ  左側脇パーツの右側端部
ｆ１    表側脇パーツの足口部
ｆ１ｅ  表側脇パーツの足口部のクロッチ側右端部
ｆ２ｅ  表側脇パーツの足口部のクロッチ側左端部
ｆ２    肌側脇パーツの足口部
ｆ３ｅ  肌側脇パーツの足口部のクロッチ側右端部
ｆ４ｅ  肌側脇パーツの足口部のクロッチ側左端部
４      クロッチ部
４Ａ    クロッチ部の前マチ部
Ｘ      横方向
Ｙ      上下方向
【図１】
2020016005.tif 000003
【図２】
2020016005.tif 000004
【図３】
2020016005.tif 000005
【図４】
2020016005.tif 000006
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
前中央のフロント部分を覆うフロントパーツと、
フロントパーツの左右両側に設けられた脇パーツと、
フロントパーツに連なるクロッチ部からなり、
脇パーツは重なり合うとともに形状が異なる表側脇パーツと肌側脇パーツからなり、
脇パーツはフロントパーツの左右両側の端部にそれぞれ縫合されており、
クロッチ部の前マチ部にフロントパーツの下端部と脇パーツの下辺が縫合されており、
肌側脇パーツの足口部のクロッチ側端部は表側脇パーツの足口部のクロッチ側端部よりも中心側に接合位置をずらして縫合されていることを特徴とする、鼠蹊部を圧迫しないショーツ。
【請求項２】
表側脇パーツと縫合された際に肌側脇パーツの足口部が浮き上がって立ち上がるように、肌側脇パーツの足口部の下辺は、表側脇パーツと重ね合わせたときに、表側脇パーツの足口部の下辺よりもショーツの中心側方向にずれるように形成されていることを特徴とする請求項１に記載の鼠蹊部を圧迫しないショーツ。
【請求項３】
表側脇パーツの下辺は肌側脇パーツの下辺より長くなるように配置することを特徴とする請求項１乃至請求項２のいずれか一項に記載の鼠蹊部を圧迫しないショーツ。
【請求項４】
フロントパーツは横方向に伸びにくく、上下方向に伸縮する伸縮性素材を用いることを特徴とする請求項１乃至請求項３のいずれか一項に記載の鼠蹊部を圧迫しないショーツ。